(57)【要約】    【構成】  更生パネル部材３８は本体１６を備える。本体１６の第１端１２側に受部４０が形成され、本体１６の第２端１４側に係合部３２、止水材３６を嵌めた切欠３４、および貫通孔２６が形成された窪み部１８が設けられる。この貫通孔２６にアンカ５２を挿入して、先行更生パネル部材３８ａを開水路５０の内面に固定する。次いで、アンカ５２を後続更生パネル部材３８の本体１６の第１端１２側で覆いながら、先行更生パネル部材３８ａの係合部３２に後続更生パネル部材３８の受部４０を嵌めて、この受部４０を先行更生パネル部材３８ａの切欠３４内に挿入する。    【効果】  アンカ５２が更生パネル５０の表面に現れず、隣り合う更生パネル部材３８の表面が面一に揃い、開水路５０内の流量は確保される。更生パネル部材３８の接合部およびアンカ５２毎に止水処理する必要がなく、施工性に優れ、しかも浸水せず、更生開水路５０の耐久性は維持される。【選択図】  図１２
2010159628.tif 000002
【特許請求の範囲】
【請求項１】
劣化した構造物の壁面を更生するための更生パネル部材であって、
第１端および第２端と、第１面およびそれに対向する第２面とを有する本体、
前記本体の第２端に突出して形成される係合部、および
前記本体の第１端側に形成されて、隣接する前記係合部を受ける受部を備え、
前記受部の先端および前記本体の第１端を前記本体の第２端に対して傾斜させて形成した、更生パネル部材。
【請求項２】
劣化した構造物の壁面を更生するための更生パネル部材であって、
第１端および第２端と、第１面およびそれに対向する第２面とを有する本体、
前記本体の第２端に突出して形成される係合部、および
前記本体の第１端側に形成されて、隣接する前記係合部を受ける受部を備え、
前記受部の幅を前記係合部の幅より大きくしておき、前記受部の先端および前記本体の第１端を前記本体の第２端に対して傾斜させて切断できるようにした、更生パネル部材。
【請求項３】
前記本体の第２端側に前記第２面よりへこんだ窪み部、および
前記窪み部に形成されたアンカ取付部をさらに備え、
前記係合部を前記窪み部に形成し、
前記アンカ取付部に取り付けられたアンカを、隣接する前記本体の第１端側で覆い、かつ隣り合う前記第１端と前記第２端とを接合して、更生パネルを形成するようにした、請求項１または２記載の更生パネル部材。
【請求項４】
劣化した構造物の壁面を更生する方法であって、
（ａ）先行するかつ本体と、前記本体の第２端に突出して形成される係合部と、前記本体の第１端側に形成されて隣接する前記係合部を受ける受部とを含む更生パネル部材を前記劣化した構造物の壁面と間隔を隔ててアンカで固定するステップ、
（ｂ）後続する請求項２の更生パネル部材の前記受部の先端および前記本体の第１端を前記本体の第２端に対して傾斜させて切断するステップ、
（ｃ）前記先行更生パネル部材の前記係合部を前記後続更生パネル部材の前記受部で受けて、前記後続更生パネル部材を前記劣化した構造物の壁面と間隔を隔ててアンカで固定するステップ、
（ｄ）前記劣化した構造物の壁面と前記更生パネル部材との間に充填材を充填するステップを含む、劣化した構造物の壁面の更生方法。
【請求項５】
劣化した構造物の入隅に用いられるハンチ部材であって、
第１面およびそれに対向する第２面と、第１端および第２端とを有する本体、および
前記本体の第２端側に前記第２面よりへこんだ窪み部を備え、
前記第１面の長さが前記第２面の長さより長くなるように前記本体の第１端と直交する端面を前記第１面に対して傾斜させて形成した、ハンチ部材。
【請求項６】
入隅を有する劣化した構造物の壁面を更生する方法であって、
（ａ）入隅を形成する２つの壁面にそれぞれ更生パネルを取り付けるステップ、
（ｂ）先行する請求項５のハンチ部材の傾斜する端面を前記更生パネルの表面に当てて、前記先行ハンチ部材の窪み部を貫通したビスで前記先行ハンチ部材を固定するステップ、
（ｃ）後続するハンチ部材の本体の第１端側で前記先行ハンチ部材の前記ビスを覆いながら、前記先行ハンチ部材の本体の第２端と前記第１端とを接合し、前記後続ハンチ部材の窪み部を貫通したビスで前記後続ハンチ部材を固定するステップ、
（ｄ）前記ステップ（ｂ）および（ｃ）を繰り返すステップ、および
（ｅ）前記劣化した構造物の壁面と前記更生パネルおよび前記ハンチ部材との間に充填材を充填するステップを含む、劣化した構造物の壁面の更生方法。
【発明の詳細な説明】
【技術分野】
【０００１】
この発明は、更生パネル部材、ハンチ部材および劣化した構造物の壁面の更生方法に関し、特にたとえば、劣化した構造物を取り壊すことなく、構造物の強度回復や表面補修を図る、更生パネル部材、ハンチ部材および劣化した構造物の壁面の更生方法に関する。
【背景技術】
【０００２】
従来の更生パネル部材を用いた劣化した構造物の更生方法の一例が、特許文献１に開示されている。この特許文献１の開水路の内面のライニング工法では、固定部材を開水路の内面にアンカで固定し、その固定部材に矩形状のライニング板をビスで止めている。そして、ライニング板と開水路の内面との間に充填材を充填し、ライニング板の突合せ部をシーリング材で止水している。
【特許文献１】特開２００２−２９４６６５号公報［Ｂ０２Ｂ  ５／０２、Ｅ０３Ｆ  ５／０４］
【発明の概要】
【発明が解決しようとする課題】
【０００３】
特許文献１の従来技術では、ライニング板をビスで止めているため、ここに止水処理をしないと、開水路内の水がビスを伝ってライニング板と開水路の内面との間に侵入するため、開水路の内面のライニングの耐久性が低下してしまう。しかし、ビスの１つ１つを止水処理すると、止水処理に手間がかかり、施工性が悪くなる。
【０００４】
また、矩形状のライニング板で開水路の湾曲部分の内面を覆うことができない。
【０００５】
このため、開水路の湾曲部分の内面形状に合わせてライニング板を切断すると、内面形状に合わせてライニング板を取り付けることができるが、ライニング板の少なくとも両端をビスで固定具に固定する必要があり、施工性に劣る。
【０００６】
それゆえに、この発明の主たる目的は、耐久性を維持しつつ、施工性に優れる、更生パネル部材、ハンチ部材および劣化した構造物の壁面の更生方法を提供することである。
【０００７】
また、別の発明の主たる目的は、劣化した構造物の湾曲部分の壁面を覆うことができ、しかも施工性に優れる、更生パネル部材、ハンチ部材および劣化した構造物の壁面の更生方法を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
請求項１の発明は、劣化した構造物の壁面を更生するための更生パネル部材であって、第１端および第２端と、第１面およびそれに対向する第２面とを有する本体、本体の第２端に突出して形成される係合部、および本体の第１端側に形成されて隣接する係合部を受ける受部を備え、受部の先端および本体の第１端を本体の第２端に対して傾斜させて形成した、更生パネル部材である。
【００１０】
請求項１の発明では、劣化した構造物の壁面を更生するための更生パネル部材は本体を含み、本体は第１端と第２端とを有する。係合部は、本体の第２端から突出するように、本体の第２端に形成される。受部は、その先端が第２端に対して傾斜するように、本体の第１端側に形成される。
【００１１】
更生パネル部材の受部を隣接する更生パネル部材の係合部に嵌めると、更生パネル部材は隣接する更生パネル部材に対して傾斜して連結される。このため、受部の先端の傾斜角度が劣化した構造物の湾曲部分の壁面の湾曲角度に合う更生パネル部材を用いて、これを連結することにより、更生パネル部材は湾曲部分の壁面の形状に合わせて屈曲する。よって、連結した更生パネル部材で湾曲部分の壁面を覆うことができる。
【００１２】
また、受部を隣接する更生パネル部材の係合部に嵌めることにより、受部は係合部により係止されるため、隣り合う更生パネル部材どうしを簡単に接合することができる。
【００１３】
請求項２の発明は、劣化した構造物の壁面を更生するための更生パネル部材であって、
第１端および第２端と、第１面およびそれに対向する第２面とを有する本体、本体の第２端に突出して形成される係合部、および本体の第１端側に形成されて、隣接する係合部を受ける受部を備え、受部の幅を係合部の幅より大きくしておき、受部の先端および本体の第１端を本体の第２端に対して傾斜させて切断できるようにした、更生パネル部材である。
【００１４】
請求項２の発明では、劣化した構造物の壁面を更生するための更生パネル部材は本体を含み、本体は第１端と第２端とを有する。本体の第２端に係合部が突出して形成され、本体の第１端側に受部が形成される。受部の幅は係合部の幅に比べて大きく設定される。
【００１５】
この更生パネル部材を劣化した構造物の湾曲部分の壁面に取り付ける場合、受部の先端および本体の第１端の傾斜角度が湾曲部分の壁面の湾曲角度に合うように、受部および本体を切断する。そして、受部を隣接する更生パネル部材の係合部に嵌める。これにより、更生パネル部材は隣接する更生パネル部材に対して傾斜して連結され、連結された更生パネル部材は湾曲部分の壁面の形状に沿うため、湾曲部分の壁面をこの更生パネル部材で覆うことができる。
【００１６】
また、受部を隣接する更生パネル部材の係合部に嵌めることにより、受部は係合部により係止されるため、隣り合う更生パネル部材どうしを簡単に接合することができる。
【００１７】
請求項３の発明は、本体の第２端側に第２面よりへこんだ窪み部、および窪み部に形成されたアンカ取付部をさらに備え、係合部を窪み部に形成し、アンカ取付部に取り付けられたアンカを、隣接する本体の第１端側で覆い、かつ隣り合う第１端と第２端とを接合して、更生パネルを形成するようにした、請求項１または２記載の更生パネル部材である。
【００１８】
請求項３の発明では、本体の第１端側に受部が設けられ、本体の第２端側に窪み部が設けられる。窪み部にアンカ取付部および係合部が形成される。
【００１９】
このアンカ取付部にアンカを取り付けて、アンカを隣接する本体で覆いながら、隣り合う第１端と第２端とを接合することにより、隣り合う本体の第１面が面一に揃い、しかもアンカが本体の第１面に現れないため、各アンカに対する止水処理が必要なくなる。
【００２０】
また、たとえば本体の接合部を止水処理すれば、水は更生パネルと劣化した構造物の壁面との間に侵入しないため、更生された劣化した構造物の壁面の耐久性を維持することができる。
【００２１】
請求項４の発明は、劣化した構造物の壁面を更生する方法であって、（ａ）先行するかつ
本体と、本体の第２端に突出して形成される係合部と、本体の第１端側に形成されて隣接する係合部を受ける受部とを含む更生パネル部材を劣化した構造物の壁面と間隔を隔ててアンカで固定するステップ、（ｂ）後続する請求項２の更生パネル部材の受部の先端および
本体の第１端を本体の第２端に対して傾斜させて切断するステップ、（ｃ）先行更生パネル
部材の係合部を後続更生パネル部材の受部で受けて、後続更生パネル部材を劣化した構造物の壁面と間隔を隔ててアンカで固定するステップ、（ｄ）劣化した構造物の壁面と更生パ
ネル部材との間に充填材を充填するステップを含む、劣化した構造物の壁面の更生方法である。
【００２２】
請求項４の発明では、請求項２の発明と同様の作用を示す。ただし、この場合、先行する更生パネル部材は、少なくとも本体と、本体の第２端に突出して形成される係合部と、本体の第１端側に形成されて隣接する係合部を受ける受部とを含むものであり、これ自体が請求項２の構成を有するかどうかは問題ではない。つまり、請求項４の発明では、先行更生パネル部材は、非湾曲壁面用更生パネル部材であっても請求項２の更生パネル部材（湾曲壁面用更生パネル部材）であっても、どちらでもよい。
【００２３】
請求項５の発明は、劣化した構造物の入隅に用いられるハンチ部材であって、第１面およびそれに対向する第２面と、第１端および第２端とを有する本体、および本体の第２端側に第２面よりへこんだ窪み部を備え、第１面の長さが第２面の長さより長くなるように本体の第１端と直交する端面を第１面に対して傾斜させて形成した、ハンチ部材である。
【００２４】
請求項５の発明では、窪み部を第２面よりへこませて本体の第２端側に形成することにより、請求項１の発明と同様に、ビスを隣接する本体で覆うことができ、ビスごとに止水処理が必要なくなる。しかも、ビスが本体の表面に現れない上、本体の表面を面一に揃えることができるため、本体上を水は滑らかに流れる。
【００２５】
また、第１面の長さが第２面の長さより長くなるように本体の第１端と直交する端面を第１面に対して傾斜させて形成する。これにより、ハンチ部材に窪み部などがあっても、たとえば、入隅を形成する２つの壁面上に設けた各更生パネルの表面にハンチ部材の傾斜端面を密着させることができる。このため、ハンチ部材と更生パネルとの間を止水処理することができる。
【００２６】
請求項６の発明は、入隅を有する劣化した構造物の壁面を更生する方法であって、（ａ）入隅を形成する２つの壁面にそれぞれ更生パネルを取り付けるステップ、（ｂ）先行する請求項５のハンチ部材の傾斜する端面を更生パネルの表面に当てて、先行ハンチ部材の窪み部を貫通したビスで先行ハンチ部材を固定するステップ、（ｃ）後続するハンチ部材の本体
の第１端側で先行ハンチ部材のビスを覆いながら、先行ハンチ部材の本体の第２端と第１端とを接合し、後続ハンチ部材の窪み部を貫通したビスで後続ハンチ部材を固定するステ
ップ、（ｄ）ステップ（ｃ）および（ｄ）を繰り返すステップ、および（ｅ）劣化した構造物の壁面と更生パネルおよびハンチ部材との間に充填材を充填するステップを含む、劣化した構造物の壁面の更生方法である。
【００２７】
請求項６の発明では、請求項５の発明と同様の作用を示す。
【発明の効果】
【００２８】
この発明によれば、受部の先端を傾斜させた更生パネル部材を用い、この更生パネル部材の受部を隣接する更生パネル部材の係合部に嵌めることにより、施工性に優れながら、劣化した構造物の湾曲部分の壁面を覆うことができる。
【００２９】
この発明の上述の目的，その他の目的，特徴および利点は、図面を参照して行う以下の実施例の詳細な説明から一層明らかとなろう。
【００３０】
この発明の上述の目的，その他の目的，特徴および利点は、図面を参照して行う以下の実施例の詳細な説明から一層明らかとなろう。
【図面の簡単な説明】
【００３１】
【図１】この発明の一実施例の開水路の湾曲壁面用更生パネル部材を示す斜視図である。
【図２】（Ａ）は図１の開水路の湾曲壁面用更生パネル部材の第２面側を示す斜視図であり、（Ｂ）は（Ａ）の湾曲壁面用更生パネル部材の横断面図であり、（Ｃ）は湾曲壁面用更生パネル部材の縦断面図である。
【図３】（Ａ）は非湾曲壁面用更生パネル部材を示す斜視図であり、（Ｂ）は（Ａ）の非湾曲壁面用更生パネル部材の横断面図であり、（Ｃ）は非湾曲壁面用更生パネル部材の縦断面図である。
【図４】（Ａ）は湾曲壁面用ハンチ部材を示す斜視図であり、（Ｂ）は（Ａ）の湾曲壁面用ハンチ部材の横断面図であり、（Ｃ）は（Ａ）の湾曲壁面用ハンチ部材の縦断面図である。
【図５】（Ａ）は非湾曲壁面用ハンチ部材を示す斜視図であり、（Ｂ）は（Ａ）の非湾曲壁面用ハンチ部材の横断面図であり、（Ｃ）は（Ａ）の非湾曲壁面用ハンチ部材の縦断面図である。
【図６】（Ａ）はスペーサを示す斜視図であり、（Ｂ）は（Ａ）のスペーサの平面図である。
【図７】スペーサを湾曲壁面用更生パネル部材または非湾曲壁面用更生パネル部材の貫通孔の周りに取り付けた状態を示す斜視図である。
【図８】開水路の直線部分の底面に非湾曲壁面用更生パネル部材を固体した状態を示す斜視図である。
【図９】後続非湾曲壁面用更生パネル部材を先行非湾曲壁面用更生パネル部材に連結した状態を示す平面図である。
【図１０】図９の断面図である。
【図１１】本体の第１端を先行非湾曲壁用更生パネル部材の係合部の上面に当てた状態を示す断面図である。
【図１２】図９の部分断面図である。
【図１３】本体を先行非湾曲壁用更生パネル部材に対して反らした状態を示す断面図である。
【図１４】本体を先行非湾曲壁用更生パネル部材に対して撓めた状態を示す断面図である。
【図１５】湾曲壁面用更生パネル部材の受部を切断した状態を示す斜視図である。
【図１６】受部が切断された湾曲壁面用更生パネル部材を示す平面図である。
【図１７】湾曲壁面用更生パネル部材の受部による空間に本体の切れ端を取り付けた状態を示す平面図である。
【図１８】非湾曲壁面用更生パネル部材の窪み部の遠端側を切断した状態を示す平面図である。
【図１９】湾曲壁面用更生パネル部材を非湾曲壁面用更生パネル部材に連結した状態を示す斜視図である。
【図２０】非湾曲壁面用更生パネル部材に湾曲壁面用更生パネル部材を連結した状態を示す平面図である。
【図２１】開水路の内面に底面の更生パネルおよび側面の更生パネルを形成した状態を示す斜視図である。
【図２２】底面の更生パネルと側面の更生パネルとの間に長尺体を介して非湾曲壁用ハンチ部材を配した状態を示す斜視図である。
【図２３】図２２の長尺体を切断した状態を示す斜視図である。
【図２４】側面の更生パネル、底面の更生パネルおよびハンチ部材と開水路の内面との間に充填材を充填した状態を示す断面図である。
【図２５】この発明の別の実施例の非湾曲壁用ハンチ部材を底面の更生パネルと側面の更生パネルとの間に配した状態示す斜視図である。
【図２６】（Ａ）はこの発明の別の実施例の非湾曲壁用更生パネル部材を示す断面図であり、（Ｂ）は（Ａ）の非湾曲壁用更生パネル部材の正面図である。
【図２７】（Ａ）はこの発明のさらに別の実施例の非湾曲壁用更生パネル部材を示す断面図であり、（Ｂ）は（Ａ）の非湾曲壁用更生パネル部材の正面図である。
【図２８】この発明のさらに別の実施例の非湾曲壁用更生パネル部材を示す断面図である。
【図２９】図１７に示す非湾曲壁用更生パネル部材を先行する非湾曲壁用更生パネル部材に接合した状態を示す断面図である。
【図３０】開水路の湾曲部分の底面に湾曲壁面用更生パネル部材を固定し、その湾曲壁面用更生パネル部材に非湾曲壁面用更生パネル部材を連結した状態を示す平面図である。
【発明を実施するための形態】
【００３２】
図１に示すこの発明の一実施例である更生パネル部材１０は、たとえば、農業用あるいは下水用の開水路、下水暗渠、下水処理場の沈殿池あるいは貯水槽、上水施設の貯水池あるいは配水池、ビルピットまたは雨水貯留槽、ビル外壁、高速道路の遮音壁などの、構造物が劣化したときにその内壁、底面などを更生するために使用される。つまり、これらの劣化した構造物を取り壊すことなく、構造物の強度回復や表面補修を図るために、その壁面に取り付けられる。特に、この実施例の更生パネル部材１０は、構造物の壁面であってかつ同じ面内で湾曲した壁面に用いられるので、以下、湾曲壁面用更生パネル部材と言う。
【００３３】
図１、図２（Ａ）、図２（Ｂ）および図２（Ｃ）に示すように、湾曲壁面用更生パネル部材１０は、第１端１２と第２端１４とを有する本体１６を含み、隣り合う第１端１２と第２端１４とを接合して更生パネルを形成するものである。
【００３４】
本体１６は、矩形の板状で、平らな第１面２０とそれに対向する第２面２２とを有し、塩化ビニル樹脂やポリオレフィン樹脂などの合成樹脂で形成される。第１面２０の表面はアクリル樹脂など耐候性を有する樹脂層２４で覆われ、樹脂層２４は２層押出成形により一体的に形成される。ポリオレフィン樹脂には、たとえばポリエチレンやポリプロピレンなどが用いられる。本体１６の長さａは、湾曲壁面用更生パネル部材１０が開水路の底面に取り付けられる場合に、その底面の幅より少し短めに設定される。本体１６の幅ｂは適宜設定される。
【００３５】
本体１６の第２端１４に窪み部１８、係合部３２および切欠３４が設けられ、本体１６の第１端１２側に受部２８が設けられ、本体１６の第２面２２に突起部３０が設けられる。これらは、塩化ビニル樹脂やポリオレフィン樹脂などの合成樹脂で形成され、本体１６の長さ方向の全長に亘って設けられる。
【００３６】
窪み部１８は、本体１６の第２端１４側に設けられ、第１端１２と反対方向に突出する。窪み部１８の断面形状はＪ字状であり、その近端側１８ａは本体１６の第２端１４と連結し、遠端側１８ｂは本体１６の第１面２０側へ湾曲する。窪み部１８の遠端側１８ｂの先はくの字状に曲がり、その先に係り部２５が形成される。係り部２５は窪み部１８の遠
端側１８ｂから本体１６側へ突出する。
【００３７】
また、窪み部１８は第２面２２よりへこみ、窪み部１８の最も低い位置にアンカ取付部として複数の貫通孔２６が間隔を隔てて設けられる。貫通孔２６の内径はたとえば、１３ｍｍであり、各貫通孔２６のピッチは１００〜１５０ｍｍである。
【００３８】
受部２８は本体１６の第１端１２側の第２面２２に設けられる。受部２８は本体１６に対してほぼ平行に設けられ、受部２８の基端が本体１６に結合することによって、受部２８および本体１６の第１端１２側はコの字状の断面形状を形成する。
【００３９】
そして、本体１６の第１端１２側と受部２８との間に空間が形成され、この受部２８による空間で隣接する係合部３２を受ける。受部２８による空間の間隔は、受部２８の板の厚みと同じまたはそれより少し大きめに設定される。また、受部２８の幅ｃは係合部３２の幅ｄに比べて大きく設定される。たとえば、本体１６の幅ｂが３００ｍｍで、本体１６の長さａが１０００ｍｍの湾曲壁面用更生パネル部材１０の場合、係合部３２の幅ｄが９０ｍｍであるのに対して、受部２８の幅ｃは１０〜１１０ｍｍに設定される。
【００４０】
突起部３０は本体１６の第２面２２に設けられ、複数、この実施例では、４つの突起部３０が間隔を隔てて並ぶ。突起部３０の断面形状はＴ字状やトの字状である。
【００４１】
係合部３２は、本体１６の第２端１４、つまり窪み部１８の近端側１８ａに設けられ、本体１６の第２端１４側から窪み部１８と同じ方向に、つまり第１端１２と反対方向に突出する。係合部３２の上面は第１面２０より本体１６の厚みの分だけ下がった位置に設けられ、本体の側端面に対して直角である。係合部３２の下面は湾曲し、上面に対して傾斜して設けられる。このため、係合部３２の断面形状は略三角形状に形成される。
【００４２】
切欠３４は係合部３２のすぐ下に設けられる。その断面形状は略矩形であり、切欠３４の上面は係合部３２の下面を延長するように形成される。切欠３４の中にエラストマなどの止水材３６が嵌め込まれる。たとえば、止水材３６の断面形状はのこぎり形状であり、のこぎりの歯のように凸凹が交互に並んでいる部分は切欠３４の開口を向く。
【００４３】
このような湾曲壁面用更生パネル部材１０は押出成形などにより作成され、本体１６の長さａは湾曲壁面用更生パネル部材１０を押し出す長さにより調整される。
【００４４】
また、図３（Ａ）、図３（Ｂ）および図３（Ｃ）に示す非湾曲壁面用更生パネル部材３８は、劣化した構造物の、同じ面内では湾曲していない壁面（非湾曲壁面）に用いられる。なお、図１に示す湾曲壁面用更生パネル部材１０と同様により共通する部分については同じ番号を付して説明を省略する。
【００４５】
非湾曲壁面用更生パネル部材３８は本体１６を有し、本体１６の第１端１２側に受部４０が設けられ、本体１６の第２面２２に係止部４２および突起部３０が設けられ、本体１６の第２端１４に窪み部１８、係合部３２および切欠３４が設けられ、これらは本体の長さ方向の全長に亘って形成される。
【００４６】
受部４０は本体１６とともにコの字状の断面形状を形成し、本体１６と受部４０との間に空間が設けられる。この受部４０による空間の幅ｅ１は係合部３２の幅ｄとほぼ同じまたはそれよりも多少大きくなるように、受部４０の幅ｅ２は係合部３２の幅ｄよりも少し大きく設定される。
【００４７】
係止部４２は、本体１６の第２面２２に設けられ、第２面２２からほぼ直角に突出する
。係止部４２の先は、くの字状に曲がり、係止部４２の先に係り部４４が形成される。
【００４８】
また、図４（Ａ）、図４（Ｂ）および図４（Ｃ）に示す湾曲壁面用ハンチ部材４５は、劣化した構造物の湾曲壁面を含む部分の入隅に用いられ、たとえば、後述する開水路の側面の更生パネルと底面の更生パネルとの間に取り付けられる。この湾曲壁面用ハンチ部材４５は図１に示す湾曲壁面用更生パネル部材１０とほぼ同じであるが、本体１６の第１端１２に直交する端面の角度が異なる。図２（Ｃ）に示すように湾曲壁面用更生パネル部材１０では、第１端１２に直交する端面１１は第１面２０に対して直角であるが、図４（Ｃ）に示すように湾曲壁面用ハンチ部材４５では、第１面２０の長さａが第２面２２の長さａ２より長くなるように、第１端１２に直交する端面１３は第１面２０に対して角度θ１：４５度で傾斜する。これ以外の部分に関しては図１実施例の示す湾曲壁面用更生パネル部材１０と同様であるため、説明は省略する。
【００４９】
さらに、図５（Ａ）、図５（Ｂ）および図５（Ｃ）に示す非湾曲壁面用ハンチ部材４７は、劣化した構造物の非湾曲壁面を含む部分の入隅に用いられる。この非湾曲壁面用ハンチ部材４７は図３（Ａ）に示す非湾曲壁面用更生パネル部材３８とほぼ同じであるが、図４（Ａ）に示す湾曲壁面用ハンチ部材４５と同様に、図５（Ｃ）に示すように非湾曲壁面用ハンチ部材４７では本体１６の第１端１２に直交する端面１３が第１面２０に対して角度θ１：４５度で傾斜する点が図３（Ｃ）に示す非湾曲壁面用更生パネル部材３８の端面１１と異なる。これ以外の部分に関しては図３（Ａ）に示す非湾曲壁面用更生パネル部材３８と同様であるため、説明は省略する。
【００５０】
このような湾曲壁面用更生パネル部材１０または非湾曲壁面用更生パネル部材３８などを用いて断面形状が矩形状の開水路を更生する場合、まず、開水路の施工部分より上流側にコンクリートパネルなどで水を予め堰き止めて、水中ポンプなどにより堰き止められた水を施工部分より下流側に放流する。そして、開水路の内面（底面および側面）の泥などを高圧洗浄機などで除去し、開水路の内面の特に突き出た部分をディスクサンダーなどで除去する。
【００５１】
次に、複数の図６（Ａ）および図６（Ｂ）に示すスペーサ４８を用意する。スペーサ４８は、湾曲壁面用更生パネル部材１０および非湾曲壁面用更生パネル部材３８を開水路の内面に取り付けた際に、窪み部１８と開水路の内面との間に介在し、これらの間に間隔を持たせるものである。この間隔は後述する充填材の流路として利用される。
【００５２】
スペーサ４８はゴムなどで形成されるが、その材質は限定されない。スペーサ４８は円筒形状で、その内径は窪み部１８の貫通孔２６の内径と同じまたはそれより少し大きく設定される。スペーサ４８の内径と外径との差は、たとえば１０ｍｍで、高さは５ｍｍである。スペーサ４８には切込み４９が入れられ、図３（Ｂ）に示すように、切込み４９は、たとえば角度θ２：９０度で形成される。
【００５３】
図７に示すように、各スペーサ４８を、貫通孔２６の周りの第２面２２側に両面テープなどで取り付ける。
【００５４】
図８に示す開水路５０の直線部分（非湾曲）の底面には非湾曲壁面用更生パネル部材３８を用いる。本体１６の第２面２２を開水路５０の底面側に向け、本体１６の第１端１２が開水路５０の長手方向に対して直角になるようにして、非湾曲壁面用更生パネル部材３８を開水路５０の直線部分の底面に配置する。そして、アンカ５２を貫通孔２６およびスペーサ４８の孔に挿入し、開水路５０の底面に打ち込んで、非湾曲壁面用更生パネル部材３８を固定する。
【００５５】
なお、開水路５０の底面が窪んでいて、窪み部１８と開水路５０の底面との間隔が広い場合には、スペーサ４８（図６（Ａ））の切込み４９からスペーサ４８をアンカ５２に挿入して、スペーサ４８を窪み部１８と開水路５０の底面との間に継ぎ足すことができる。このとき、スペーサ４８に切込み４９が入っているため、アンカ５２を開水路５０の底面に打ち込んだ後でもスペーサ４８をアンカ５２に簡単に取り付けることができる。
【００５６】
続いて、図９および図１０に示すように、この先行して開水路５０に固定された非湾曲壁面用更生パネル部材３８ａに後続する非湾曲壁面用更生パネル部材３８を連結する。
【００５７】
ここで、先行する非湾曲壁面用更生パネル部材３８ａを後続する非湾曲壁面用更生パネル部材３８と区別するため、先行する非湾曲壁面用更生パネル部材を３８ａと示したが、非湾曲壁面用更生パネル部材３８と同様のものである。
【００５８】
すなわち、図１１に示すように、非湾曲壁用更生パネル部材３８を斜めに傾け、その本体１６の第１端１２を先行非湾曲壁用更生パネル部材３８ａの係合部３２の上面に当て、受部４０の内面を先行非湾曲壁用更生パネル部材３８ａの係合部３２の下面に当接して、受部４０を先行非湾曲壁用更生パネル部材３８ａの係合部３２に嵌める。それから、矢印５３に示すように本体１６の傾きを小さくすると、受部４０の内面は先行非湾曲壁用更生パネル部材３８ａの係合部３２の湾曲した下面に沿いながら、受部４０の先端は先行非湾曲壁用更生パネル部材３８ａの切欠３４へ誘導される。これに伴い、係止部４２は先行非湾曲壁用更生パネル部材３８ａの窪み部１８の遠端側１８ｂに当たるため、本体１６の第１端１２を支点として本体１６を押し下げると、図１２に示すように、係止部４２は先行非湾曲壁用更生パネル部材３８ａの窪み部１８の内側に入る。
【００５９】
このように、係合部３２の下面を湾曲しながら斜めに切り取られるため、本体１６の第１端１２と垂直な方向の長さが長くても、受部４０を先行非湾曲壁用更生パネル部材３８ａの係合部３２に嵌めることができる。また、本体１６の第１端１２を支点として本体１６を押し下げることにより、本体１６の第１端１２側の長さが長くても、てこの原理を利用して小さな力で係止部４２を先行非湾曲壁用更生パネル部材３８ａの窪み部１８内に挿入するができる。このため、開水路５０の内面に対する非湾曲壁用更生パネル部材３８を連結する際の負担は小さくてすみ、しかも人の手でも簡単に非湾曲壁用更生パネル部材３８を連結することができ、作業性に優れる。
【００６０】
そして、受部４０は本体１６の第１端１２側と協働して先行非湾曲壁用更生パネル部材３８ａの係合部３２を受ける。これにより、本体１６の第１端１２側が先行非湾曲壁用更生パネル部材３８ａの本体１６の第２端１４側から上下方向へ動くのが防止される。また、係止部４２が先行非湾曲壁用更生パネル部材３８ａの窪み部１８の遠端側１８ｂに当接して、非湾曲壁用更生パネル部材３８が横方向に滑るのが防止される。さらに、係止部４２の係り部４４が先行非湾曲壁用更生パネル部材３８ａの係り部２５と互いに係わり合うことにより、非湾曲壁用更生パネル部材３８が上方へ外れてしまうのが防がれる。
【００６１】
なお、係止部４２の係り部４４と先行非湾曲壁用更生パネル部材３８ａの係り部２５との間に隙間５５ａがあり、かつ係合部３２の下面が湾曲する。このため、図１３に示すように、本体１６は先行非湾曲壁用更生パネル部材３８ａとの接合状態を維持したまま先行非湾曲壁用更生パネル部材３８ａに対する第１面２０の角度θ３が１８０度より小さくなる方向へ曲げることができる。
【００６２】
これと反対に、本体１６の第２面２２と先行非湾曲壁用更生パネル部材３８ａの窪み部１８の遠端側１８ｂの先との間に隙間５５ｂがあり、本体１６は合成樹脂で形成されるため、図１４に示すように本体１６は、先行非湾曲壁用更生パネル部材３８ａの係合部３２
を支点として撓み、先行非湾曲壁用更生パネル部材３８ａに対する第１面２０の角度θ３が１８０度より大きくなる方向へ曲がる。
【００６３】
このように、隣り合う非湾曲壁用更生パネル部材３８、３８ａどうしの接合状態を維持したままこれらの連結角度が可変するため、更生パネル５０を開水路５０の底面の凹凸などにある程度合わせることができる。
【００６４】
また、図１２に示すように、受部４０の先端は先行非湾曲壁用更生パネル部材３８ａの切欠３４内に挿入されるため、切欠３４内の止水材３６により本体１６の第１端１２と先行非湾曲壁用更生パネル部材３８ａの本体１６の第２端１４との接合部が止水される。
【００６５】
さらに、本体１６の第１端１２側で先行非湾曲壁用更生パネル部材３８ａの窪み部１８を覆いながら、本体１６の第１端１２を先行非湾曲壁用更生パネル部材３８ａの本体１６の第２端１４と接合し、しかも、本体１６の第１面２０から係合部３２の上面までの長さが本体１６の厚みと一致する。このため、本体１６の第１端１２側を係合部３２に載せるだけで、非湾曲壁用更生パネル部材３８の高さが調整されて、本体１６の第１面２０は隣接する本体１６の第１面２０と面一になり揃う。
【００６６】
次に、開水路５０の直線部分の底面に続く湾曲部分の底面に湾曲壁面用更生パネル部材１０を取り付ける。この場合、図１５に示すように、まず、図１に示す湾曲壁面用更生パネル部材１０の受部２８および本体１６の第１端１２側を切断する。このとき、図１５〜図１７に示すように、受部２８の先端２８ａおよび本体１６の第１端１２が第２端１４に対して傾斜し、第２端１４に対する先端２８ａおよび第１端１２の傾斜角度が、図９に示す開水路５０の湾曲部分の湾曲角度αになるようにする。なお、切断後に残る受部２８の最短幅ｆが、係合部３２の幅ｄとより長くなるようにする。
【００６７】
そして、図１５に示す切断して切り離された三角形状の受部２８の切れ端５４を裏返して、受部２８による空間の中に挿入して、切れ端５４で受部２８による空間を埋める。このとき、図１７に示すように、切れ端５４の最長辺を受部２８の最長辺に合わせると、受部２８の最長幅ｃに対して切れ端５４の最長幅は（ｃ−ｆ）となるため、埋められた切れ端５４の先端から受部２８の先端２８ａまでの間に幅ｆの空間５６が形成される。この幅ｆは係合部３２の幅ｄよりも長いため、この空間５６に係合部３２を嵌めることができる。
【００６８】
また、図１８に示すように、開水路５０に固定された非湾曲壁面用更生パネル部材３８の窪み部１８の遠端側１８ｂを切断する。このとき、本体１６の第１面２０から切断された窪み部１８の端までの高さｇは、図２（Ｂ）に示す第１面２０から受部２８の下面までの高さｈと同じまたはそれより大きくなるように設定される。
【００６９】
そして、図１９に示すように、湾曲壁面用更生パネル部材１０の受部２８による空間内に開水路５０に固定された非湾曲壁面用更生パネル部材３８の係合部３２を嵌め、受部２８の下面を非湾曲壁面用更生パネル部材３８の窪み部１８の端に当てる。これにより、本体１６の第１端１２側は非湾曲壁面用更生パネル部材３８の窪み部１８を覆い、しかも第１端１２は非湾曲壁面用更生パネル部材３８の第２端１４と接合するため、隣り合う湾曲壁面用更生パネル部材１０の表面と非湾曲壁面用更生パネル部材３８の表面とを面一に揃えながら、これらを連結することができる。また、図２０に示すように、湾曲壁面用更生パネル部材１０が開水路５０の湾曲壁面部分に沿って、非湾曲壁面用更生パネル部材３８に連結される。
【００７０】
そして、貫通孔２６にアンカ５２を挿入し、開水路５０の底面に打ち込んで、湾曲壁面
用更生パネル部材１０を固定する。
【００７１】
なお、図１９において、湾曲壁面用更生部材１０と非湾曲壁面用更生パネル部材３８との連結状態をわかり易くするため、連結したこれらの第２面２２側を示している。このため、アンカ５２などを省略している。
【００７２】
次の後続する湾曲壁面用更生パネル部材１０ａを連結する場合も、先の湾曲壁面用更生パネル部材１０とほぼ同様にする。なお、後続する湾曲壁面用更生パネル部材１０ａを先行する湾曲壁面用更生パネル部材１０と区別するため、後続湾曲壁面用更生パネル部材を１０ａと示したが、湾曲壁面用更生パネル部材１０と同様のものである。
【００７３】
すなわち、後続湾曲壁面用更生パネル部材１０ａの先端２８ａの傾斜角度が、図２０に示す開水路５０の湾曲壁面部分の湾曲角度βになるように、受部２８を切断して、受部２８の切れ端５４を受部２８による空間内に挿入する。
【００７４】
また、図１８の非湾曲壁面用更生パネル部材３８と同様に、開水路５０に固定された湾曲壁面用更生パネル部材１０の窪み部１８の遠端側１８ｂを切断し、窪み部１８の端の高さを後続湾曲壁面用更生パネル部材１０ａの第１面２０から受部２８の下面までの高さｈと同じまたはそれより大きくする。
【００７５】
それから、後続湾曲壁面用更生パネル部材１０ａの受部２８による空間に開水路５０に固定された湾曲壁面用更生パネル部材１０の係合部３２を嵌めて、後続湾曲壁面用更生パネル部材１０ａの受部２８の下面を湾曲壁面用更生パネル部材１０の窪み部１８の遠端に当てる。なお、窪み部１８の遠端が受部２８の下面の高さより低いと、後続湾曲壁面用更生パネル部材１０ａの受部２８の下面が窪み部１８の遠端に当たらない場合もある。
【００７６】
このように、開水路５０の底面形状に合わせて、非湾曲壁面用更生パネル部材３８または湾曲壁面用更生パネル部材１０を選択し、湾曲壁面用更生パネル部材１０の先端２８ａの傾斜角度を調整して、非湾曲壁面用更生パネル部材３８または湾曲壁面用更生パネル部材１０の連結作業を繰り返すことにより、開水路５０の底面形状に沿った更生パネル５８が形成される。
【００７７】
次に、図２１に示すように開水路５０の側面にも、底面の直線部分と同様に、複数の非湾曲壁面用更生パネル部材３８を取り付け、これらを連結して、開水路５０の側面の更生パネル６０を形成する。
【００７８】
それから、開水路５０の直線部分では底面の更生パネル５８と側面の更生パネル６０との間に板状体６１を介して非湾曲壁面用ハンチ部材４７を配する。板状体６１は止水性を有する発泡ゴムなどで形成される。板状体６１の断面の高さは、たとえば１０〜１５ｍｍで、幅は２５〜４０ｍｍであり、幅はハンチ部材の本体の厚みより大きく形成される。
【００７９】
図２２に示すように、板状体６１を底面の更生パネル５８および側面の更生パネル６０のそれぞれの表面上に配置し、各板状体６１上に非湾曲壁面用ハンチ部材４７の両端面１３のそれぞれを押し当てて、非湾曲壁面用ハンチ部材４７と更生パネル５８、６０との間に板状体６１を挟む。そして、そのままの状態で、非湾曲壁面用ハンチ部材４７の窪み部１８から更生パネル５８、６０の本体１６へビス６３を打ち込んで、更生パネル５８、６０に非湾曲壁面用ハンチ部材４７を固定する。それから、図２３に示すように、非湾曲壁面用ハンチ部材４７の本体１６の第１面２０側からはみ出ている板状体６１をカッタなどで切断する。
【００８０】
そして、図１２に示す非湾曲壁面用更生パネル部材３８と同様に、受部４０による空間に先行非湾曲壁面用ハンチ部材４７の係合部３２を嵌めてから、本体１６を押し下げる。押し下げたことで、受部４０の先端４０ｂは、先行非湾曲壁面用ハンチ部材４７の切欠３４内に嵌まり、止水材３６を潰して接合部を止水する。また、係止部４２が先行非湾曲壁面用ハンチ部材４７の窪み部１８の内側に入り、係り部４４が先行非湾曲壁面用ハンチ部材４７の係り部２５に係止されることにより、非湾曲壁面用ハンチ部材４７の上下方向および水平方向の動きが制限されて、非湾曲壁面用ハンチ部材４７どうしが連結される。さらに、先行非湾曲壁面用ハンチ部材４７の窪み部１８が本体１６で覆われて、非湾曲壁面用ハンチ部材４７の第１面２０は面一に揃う。そして、これを繰り返して、底面の更生パネル５８と側面の更生パネル６０との間を非湾曲壁面用ハンチ部材４７で覆う。
【００８１】
また、開水路５０の湾曲部分では、湾曲壁面用ハンチ部材４５を用いる。まず、図１５〜図１７に示す湾曲壁面用更生パネル部材１０と同様に、第１端１２および先端２８ａの第２端１４に対する傾斜角度が開水路５０の湾曲部分の湾曲角度αになるように、本体１６の第１端１２側および受部２８を切断して、受部２８の切れ端５４を受部２８による空間の中に挿入する。また、図１８と同様に、先行する湾曲壁面用ハンチ部材４５または非湾曲壁面用ハンチ部材４７の窪み部１８の遠端側１８ｂを切断する。
【００８２】
そして、図２２および図２３に示す非湾曲壁面用ハンチ部材４７と同様に、湾曲壁面用ハンチ部材４５の傾斜する端面１３と更生パネル５８、６０との間に板状体６１を挟んで、湾曲壁面用ハンチ部材４５の窪み部１８から更生パネル５８、６０の本体１６へビス６３を打ち込む。湾曲壁面用ハンチ部材４５の本体１６の第１面２０からはみ出ている板状体６１をカッタなどで切断する。
【００８３】
それから、図１９と同様に、受部２８による空間内に先行ハンチ部材４５、４７の係合部３２を嵌めて、本体１６の第１端１２側で先行ハンチ部材４５、４７の窪み部１８を覆う。図２２と同様に、窪み部１８から本体１６にビス６３を打ち込んで、板状体６１を介して湾曲壁面用ハンチ部材４５を更生パネル５８、６０にそれぞれ固定する。湾曲壁面用ハンチ部材４５の連結作業を繰り返すことによって、開水路５０の底面形状に沿って、底面の更生パネル５８と側面の更生パネル６０との間を湾曲壁面用ハンチ部材４５で覆うことができる。
【００８４】
最後に、図２４に示すように開水路５０の側面と側面の更生パネル６０との間からモルタルなどの充填材６４を注入すると、充填材６４は開水路５０の側面と本体１６との間、スペーサ４８により形成された開水路５０の側面と窪み部１８との間、および窪み部１８の中を通り、開水路５０の底面と更生パネル５８との間に流れ、開水路５０の内面と各更生パネル５８、６０との間に充填材６４が充填される。このとき、本体１６の突起部３０が充填材６４に嵌まり、投錨効果を示す。よって、既設の開水路５０および各更生パネル５８、６０は充填材６４により一体化する。なお、充填材６４は受部２８による空間の中に侵入しないが、この空間の中には切れ端５４が嵌められているため、この部分の強度は切れ端５４により補強されるとともに、非破壊検査の妨げとなる空洞部が形成されない。
【００８５】
このように、本体１６の第１端１２側で窪み部１８に取り付けられたアンカ５２を覆い、かつ受部２８、４０と切欠３４内の止水材３６とにより隣り合う第１端１２と第２端１４との接合部を止水する。これにより、開水路５０内を流れる水は窪み部１８からアンカ５２を介して更生パネル５０と開水路５０の内面との間に侵入せず、更生された開水路５０の耐久性は維持される。その上、更生パネル５０を形成した後に本体１６の接合部だけでなく、アンカ５２の１つ１つにシリコンシーラントなどで止水処理する必要がなくなり、施工性が向上する。
【００８６】
また、隣り合う本体１６の第１面２０は面一になり、またアンカ５２の頭部などが第１面２０に現れないため、外観的に優れ、しかも、水は開水路５０の中をスムーズに流れて、流速や流量が確保される。
【００８７】
さらに、本体１６および窪み部１８を塩化ビニル樹脂で形成することにより、湾曲壁面用更生パネル部材１０および非湾曲壁用更生パネル部材３８の低コスト化が図られる。また、本体１６の第１面２０の表面をアクリル樹脂層２４で覆うことにより、塩化ビニル樹脂の紫外線による劣化が防止され、更生された開水路５０の耐久性を確保することができる。
【００８８】
この本体１６の第２面２２に突起部３０を設けることにより、本体１６の剛性を高められ、本体１６の厚みを薄くすることができる。これにより、湾曲壁面用更生パネル部材１０および非湾曲壁用更生パネル部材３８の材料コストが抑えられ、しかも湾曲壁面用更生パネル部材１０および非湾曲壁用更生パネル部材３８が軽くなるため、作業性に優れる。
【００８９】
また、第１端１２および受部２８の先端２８ａの傾斜角度を開水路５０の湾曲部分の湾曲角度に合わせ、本体１６および受部２８を切断することにより、湾曲用更生パネル部材１０は更生パネル部材１０、３８に対して傾斜して連結され、本体１６が湾曲部分の湾曲の底面形状に沿って屈曲した更生パネル５８が形成される。このため、更生パネル５８は開水路５０の湾曲部分の底面を覆うことができることにより、開水路５０を流れる水が更生パネル５８と開水路５０の底面との間に浸入しにくいため、更生された開水路５０の強度は維持される。
【００９０】
そして、受部２８の幅を係合部３２の幅より長く形成しておくことにより、受部２８の先端を一定範囲で所望する湾曲角度に切断しても、受部２８の幅を係合部３２の幅より長く残すことができるため、受部２８を隣接する係合部３２に嵌めることができる。これにより、受部２８は係合部３２により係止されるため、湾曲壁面用更生パネル部材１０を非湾曲壁面用更生パネル部材３８または湾曲壁面用更生パネル部材１０に簡単に接合することができる。
【００９１】
なお、開水路５０の内面と各更生パネル５８、６０との間に鉄筋を配してもよい。ここに鉄筋を入れると、開水路５０、鉄筋および更生パネル５８、６０が充填材６４により一体化されて、これらの引張強度が向上し、更生された開水路５０の耐久性がさらに向上する。
【００９２】
また、突起部３０の間または突起部３０自体に金属製の補強部材などを取り付けてもよい。これにより、本体１６の剛性を向上することができる。
【００９３】
さらに、図２２では、湾曲壁面用ハンチ部材４５および非湾曲壁面用ハンチ部材４７の窪み部１８のビス６３を打ち込んで、開水路５０の更生パネル５８、６０にハンチ部材４５、４７を固定した。これに対して、図２５に示すように、ハンチ部材４５、４７の窪み部１８を開水路５０の底面および側面に取り付けた更生パネル部材１０、３８の窪み部１８に合わせて、ハンチ部材４５、４７の窪み部１８から更生パネル部材１０、３８の窪み部１８にビス５３を打ち込んで、開水路５０の更生パネル５８、６０にハンチ部材４５、４７を固定することもできる。
【００９４】
また、ハンチ部材４５、４７の窪み部１８から更生パネル５８、６０にビス６３を打ち込んで、ハンチ部材４５、４７を固定したが、ハンチ部材４５、４７の窪み部１８の貫通孔２６から開水路５０のハンチ部へアンカを挿入して、ハンチ部材４５、４７を固定することもできる。
【００９５】
そして、この湾曲壁面用ハンチ部材４５および非湾曲壁面用ハンチ部材４７と更生パネル５８、６０との間を発泡ゴムなどの板状体６１により止水したが、ハンチ部材４５、４７と更生パネル５８、６０との間との間にシリコンシーラントのようなコーキング処理により止水処理することもできる。
【００９６】
また、突起部３０を一方向に延びるように設けたが、突起部を格子状に設けることもできる。図２６（Ａ）および図２６（Ｂ）に示すように、一方の突起部６６は本体１６の第１端１２および第２端１４に平行に延び、他方の突起部６８は本体１６の第１端１２および第２端１４に垂直に延びる。このとき、一方の突起部６６の高さと他方の突起部６８の高さを同じにしてもよいが、一方の突起部６６の高さを他方の突起部６８の高さより低くすることにより、充填材６４の流動性を向上させることもできる。また、突起部６６、６８の断面形状を直線状にしてもよいし、上記と同様にＴ字状やト字状に形成してもよい。このように、本体１６の第２面２２に突起部６６、６８を形成することにより、本体１６の第１端１２および第２端１４に垂直な方向だけでなく、それに平行な方向に対しても、本体１６の剛性が高まる。なお、突起部６６、６８は湾曲壁面用更生パネル部材１０および非湾曲壁用更生パネル部材３８のどちらに対しても適用される。
【００９７】
そして、図２７（Ａ）および図２７（Ｂ）に示すように、この格子状の突起部６６および突起部６８の少なくともいずれか一方に貫通孔７０を設けることができる。貫通孔７０は突起部６６、６８の長手方向に対して垂直に設けられる。この貫通孔７０を設けることにより、充填材６４がこの貫通孔７０を通り、更生パネル５８、６０と開水路５０の内面との間に満遍なく充填させることができる。
【００９８】
さらに、図３に示すように係合部３２を窪み部１８の近端側１８ａに設け、受部４０を係止部４２より第１端１２側に形成したが、図２８に示すように係合部７２を窪み部１８の遠端側１８ｂに設け、受部７４を係止部４２より第２端１４側に形成することもできる。この係合部７２は窪み部１８の遠端側１８ｂを拡径した部分である。受部７４は係止部４２を線対称にした形状であり、本体１６からほぼ直角に突出して、その先のくの字状に曲がる。曲がった係り部７６は受部７４から本体１６の第１端１２側に突出する。本体１６の第２端１４に切欠３４が形成され、その中に止水材３６が設けられる。切欠３４の下側で、本体１６の第１面２０から本体１６の厚みの分だけ下がった位置に台座部７８が形成される。台座部７８は本体１６の第２端１４から窪み部１８と同じ方向に突出し、その上面は第２端１４の端面に対して直角である。
【００９９】
そして、図２９に示すように、非湾曲壁用更生パネル部材３８の第１端１２側を先行非湾曲壁用更生パネル部材３８ａの台座部７８に載せて、受部７４と係止部４２との間に先行非湾曲壁用更生パネル部材３８ａの係合部７２を嵌めると、受部７４の係り部７６は係止部４２の係り部４４と協働して係合部７２を受ける。これにより、非湾曲壁用更生パネル部材３８を先行非湾曲壁用更生パネル部材３８ａに接合して固定され、これらの第１面２０を面一に揃う。ただし、本体１６の第２面２２と先行非湾曲壁用更生パネル部材３８ａの係合部７２との間に隙間があるため、非湾曲壁用更生パネル部材３８と先行非湾曲壁用更生パネル部材３８ａとの接合角度を変えることができる。
【０１００】
また、係止部４２より第２端１４側に設けた受部７４だけでなく、図３に示す受部４０を本体１６の第１端１２側にさらに形成してもよい。この場合、受部７４が先行非湾曲壁用更生パネル部材３８ａの係合部７２を受け、かつ受部４０が先行非湾曲壁用更生パネル部材３８ａの台座部７８を受ける。
【０１０１】
さらに、施工現場などで開水路５０の湾曲部分の湾曲角度に合わせて、図１５に示すよ
うに、受部２８および本体１６を切断したが、工場などで受部２８の先端２８ａおよび第１端１２を予め傾斜させた湾曲壁面用更生パネル部材１０を製造しておき、これを施工現場に搬入して用いることもできる。この場合、受部２８の先端２８ａおよび第１端１２の傾斜角度が異なる数種類の湾曲用更生パネル部材１０を用意しておき、これらを組み合わせることにより、多様な形状の開水路５０の湾曲壁面部分の底面に対応することができる。
【０１０２】
また、開水路５０の湾曲壁面部分に配置される更生パネル部材の全てに湾曲壁面用更生パネル部材１０を用い、各湾曲壁面用更生パネル部材１０において受部２８の先端２８ａおよび第１端１２の傾斜角度を開水路５０の湾曲部分の湾曲角度に合わせて、受部２８および本体１６を切断した。これに対して、図３０に示すように、開水路５０の湾曲壁面部分に配置される更生パネル部材の内の１つに湾曲壁面用更生パネル部材１０を用いて、この先端２８ａおよび第１端１２の傾斜角度γを開水路５０の湾曲部分の湾曲角度αより大きくなるように受部２８を切断し、この湾曲壁面用更生パネル部材１０に非湾曲壁面用更生パネル部材３８を連結することもできる。
【０１０３】
そして、湾曲壁面用更生パネル部材１０の受部２８および本体１６を切断したが、これらを切断せず、湾曲壁面用更生パネル部材１０を非湾曲壁面用更生パネル部材３８と同様に矩形状のまま用いることもできる。
【０１０４】
また、受部２８の切れ端５４で受部２８による空間を埋めたが、スポンジやゴムなどで受部２８による空間を埋めることもできる。
【０１０５】
さらに、断面形状が矩形状の開水路５０の側面には非湾曲壁面用更生パネル部材３８を用いたが、断面形状が台形状の開水路５０における湾曲部分の湾曲状側面には、断面形状が矩形状の開水路５０の湾曲壁面部分の底面と同様に、湾曲壁面用更生パネル部材１０を用いることもできる。
【０１０６】
いずれにしても、この発明の各実施例の湾曲壁面用更生パネル部材１０は、同じ面内で湾曲しあるいは曲がった壁面を補強する場合など、先行する更生パネル部材に対してその面内で角度を持たせて後続する更生パネル部材を固定する場合に、その後続更生パネル部材として利用できる。
【０１０７】
また、上記実施例では、開水路５０の直線部分に続く湾曲部分の底面において、非湾曲壁用更生パネル部材３８の係合部３２に湾曲壁面用更生パネル部材１０の受部２８を取り付けた。これと反対に、開水路５０の湾曲部分の底面に続く直線部分の底面においては、湾曲壁面用更生パネル部材１０の係合部３２に非湾曲壁用更生パネル部材３８の受部４０を取り付ける。
【０１０８】
なお、上で挙げた角度や寸法の具体的数値はいずれも単なる一例であり、必要に応じて適宜変更可能である。
【符号の説明】
【０１０９】
１０、１０ａ…湾曲壁面用更生パネル部材
１２…第１端
１４…第２端
１３…端面
１６…本体
１８…窪み部
２０…第１面
２２…第２面
２４…樹脂層
２６…貫通孔
２８、４０…受部
３２…係合部
３８，３８ａ…非湾曲壁面用更生パネル部材
４５…湾曲壁面用ハンチ部材
４７…非湾曲壁面用ハンチ部材
５０…開水路
５２…アンカ
５８、６０…更生パネル
６３…ビス
６４…充填材
【図１】
2010159628.tif 000003
【図２】
2010159628.tif 000004
【図３】
2010159628.tif 000005
【図４】
2010159628.tif 000006
【図５】
2010159628.tif 000007
【図６】
2010159628.tif 000008
【図７】
2010159628.tif 000009
【図８】
2010159628.tif 000010
【図９】
2010159628.tif 000011
【図１０】
2010159628.tif 000012
【図１１】
2010159628.tif 000013
【図１２】
2010159628.tif 000014
【図１３】
2010159628.tif 000015
【図１４】
2010159628.tif 000016
【図１５】
2010159628.tif 000017
【図１６】
2010159628.tif 000018
【図１７】
2010159628.tif 000019
【図１８】
2010159628.tif 000020
【図１９】
2010159628.tif 000021
【図２０】
2010159628.tif 000022
【図２１】
2010159628.tif 000023
【図２２】
2010159628.tif 000024
【図２３】
2010159628.tif 000025
【図２４】
2010159628.tif 000026
【図２５】
2010159628.tif 000027
【図２６】
2010159628.tif 000028
【図２７】
2010159628.tif 000029
【図２８】
2010159628.tif 000030
【図２９】
2010159628.tif 000031
【図３０】
2010159628.tif 000032